(57)【特許請求の範囲】
【請求項１】
本体部分にブーツ部分が結合され、襟部分から縦方向に防水性ファスナーが取り付けられた、発泡ゴム製のブーツ一体型のウエットスーツ本体に、前記本体と同じ素材からなり、背中から上肢部分にかけて横方向に防水性ファスナーが取付けらた丈の短い上衣を重ね合せ、該上衣の裾を前記本体の表面に水密性を保つ様に接着せしめたことを特徴とするブーツ一体型ウエットスーツ。
【発明の詳細な説明】
【技術分野】
【０００１】
この発明は、ブーツ一体型ウエットスーツ、詳しくは、安全性に優れたブーツ一体型ウエットスーツに関するものである。
【背景技術】
【０００２】
サーフィン、ウインドサーフィン、水上バイク等各種ウォータースポーツを楽しむ際には、体温の低下を防ぐと共に、皮膚の保護の為にウエットスーツを着用することが多い。ウエットスーツは、防水性、保温性、伸縮性等の見地から、天然ゴムを発泡させたシート状の素材の表面に薄い伸縮性の布を貼り合せたクロロプレーンと称される生地を用いるものがほとんどである。
【先行技術文献】
【特許文献】
【０００３】
【特許文献１】なし
【非特許文献】
【０００４】
【非特許文献１】なし
【発明の概要】
【発明が解決しようとする課題】
【０００５】
近年、防水性を向上させる為、ウエットスーツ本体にブーツが結合されているブーツ一体型ウエットスーツが多く使用される様になっているが、このブーツ一体型ウエットスーツの場合、着衣及び着脱の用に供する為、ウエットスーツ本体に設けられている防水ファスナーが壊れると、ブーツが付いていることにより、水の抜け口がない為、大量の水がウエットスーツ内部に溜まってしまい、浮力を失い、溺れてしまうなど重大な事故を起こす危険があった。
【０００６】
本発明者は、このブーツ一体型ウエットスーツにおける防水ファスナー損傷時の水の侵入による重大事態の発生を防止すべく研究を行った結果、安全性にすぐれたブーツ一体型ウエットスーツを開発することに成功し、本発明としてここに提案するものである。
【課題を解決するための手段】
【０００７】
本体部分にブーツ部分が結合され、襟部分から縦方向に防水性ファスナーが取り付けられた、発泡ゴム製のブーツ一体型のウエットスーツ本体に、前記本体と同じ素材からなり、背中から上肢部分にかけて横方向に防水性ファスナーが取付けらた丈の短い上衣を重ね合せ、該上衣の裾を前記本体の表面に水密性を保つ様に接着せしめてブーツ一体型ウエットスーツを構成することにより、上記課題を解決した。
【発明の効果】
【０００８】
ユーザーがこのブーツ一体型ウエットスーツを着用しようとするときは、上衣の防水ファスナー及び本体の防水ファスナーを共に開き、これら防水ファスナーを開けることにより形成される開口部から内部に身体を挿入させた後、本体の防水ファスナーを閉じ、更にその上から上衣の防水ファスナーを閉じ、着用作業を完了する。この状態において、サーフィン、ウインドサーフィン、水上バイク等の活動を行うのであるが、防水ファスナーは二重になっているので、万が一、外側の防水ファスナーが破損し、これから水が侵入しようとしても、内側の防水ファスナーが本体内への水の侵入を阻止するので、大量の水が本体内へ流れ込むことはなく、ユーザーは危機的状況に陥る前に陸に戻ることが可能となる。従って、ブーツ一体型ウエットスーツの高い防水性と安全性を両立させることが出来、ウォータースポーツを、安全かつ快適に楽しむことが出来る優れた効果を有する。
【図面の簡単な説明】
【０００９】
【図１】この発明に係るブーツ一体型ウエットスーツの実施例１の正面図。
【図２】同じく、その背面図。
【図３】同じく、その本体部分の正面図。
【図４】同じく、その本体部分の背面図。
【図５】同じく、その上衣のみを取りはずして描いたその正面図。
【図６】同じく、その背面図。
【発明を実施するための形態】
【００１０】
ウエットスーツの上半身部分を二重構造とし、それぞれに防水ファスナーを設けた点に最大の特徴が存する。
【実施例１】
【００１１】
図１はこの発明に係るブーツ一体型ウエットスーツの実施例１の正面図、図２はその背面図、図３はこのブーツ一体型ウエットスーツの構成要素であるウエットスーツ本体１の正面図である。
図中１は、ウエットスーツ本体であり、天然ゴムを発泡させたシート状の素材の表面に薄い伸縮性の布を貼り合せたクロロプレーンと称される伸縮性にすぐれた素材からなり、筒形の襟部分１０、胴体部分８、上肢部分９、下肢部分３が一体的に結合されている。なお、この本体１は、通常の半そでタイプのウエットスーツと基本的に同じである。又、下肢部分３の下端には、ブーツ２が結合されている。そして、図２に示す様に、襟部分１０から縦方向に、防水ファスナー４が取付けられており、この防水ファスナー４を開閉することにより、ユーザーがこのウエットスーツ本体１の着衣及び脱衣を行うことが出来る様になっている。なお、この実施例においては、防水ファスナー４は、図示の通り、後面側、即ち、首から背中にかけて取付けられているが、前面側、即ち、首から胸にかけて取付けても良い。
【００１２】
更に、図５及び図６に示す様に、裾６がほぼユーザーの胸部分までの丈の短い同一素材製の長そでタイプの上衣５が、図１及び図２に示す様に、このウエットスーツ本体１の表面側に重畳されており、この上衣５の裾６の裏面は、ウエットスーツ本体１の表面に、接着剤等により水密性を保つ様に確実に接着されている。なお、この上衣５の裾６は、動きやすくする為、図５及び図６に示す様に、正面側及び背中側から見て円弧状になる様にカットされている。
更に、この上衣５の背中部分には図５及び６に示す様に、両側のそで部分後部にかけ、脱衣及び着衣用の防水ファスナー７が取付けられている。
【００１３】
この実施例１に係るブーツ一体型ウエットスーツは上記の通りの構成を有するものであり、ユーザーがこれを着用しようとするときは、上衣５の防水ファスナー７及び本体１の防水ファスナー４を共に開き、これら防水ファスナー７，４を開けることにより形成される開口部から内部に身体を挿入させた後、本体１の防水ファスナー４を閉じ、更にその上から上衣５の防水ファスナー７を閉じ、着用作業を完了する。この状態において、サーフィン、ウインドサーフィン、水上バイク等の活動を行うのであるが、防水ファスナーは二重になっているので、万が一、外側の防水ファスナー７が破損し、これから水が侵入しようとしても、内側の防水ファスナー４が本体１内への水の侵入を阻止するので、大量の水が本体１内へ流れ込むことはなく、ユーザーは危機的状況に陥る前に陸に戻ることが可能となる。従って、ブーツ一体型ウエットスーツの高い防水性と、安全性を両立させることが出来、ウォータースポーツを、安全かつ快適に楽しむことが出来る優れた効果を有する。
【産業上の利用可能性】
【００１４】
ウォータースポーツなどのレジャー用だけではなく、漁業等の水上及び水中作業などにおいてももちろん利用可能である。
【符号の説明】
【００１５】
１．ウエットスーツ本体
２．ブーツ
３．下肢部分
４．防水ファスナー
５．上衣
６．裾
７．防水ファスナー
８．胴体部分
９．上肢部分
１０．襟部分
【図１】
0005491979.tif 000002
【図２】
0005491979.tif 000003
【図３】
0005491979.tif 000004
【図４】
0005491979.tif 000005
【図５】
0005491979.tif 000006
【図６】
0005491979.tif 000007